(57)【要約】【課題】餌に喰いついた太刀魚に対する太刀魚用テンヤの針掛かりが効果的に起こるようにし、これにより釣り逃がしを減らして釣果を高められるようにすることを課題としている。【解決手段】太刀魚用テンヤに、先端部を錘２に固定した、内部に釣り針３の胴３ａがスライド自在に挿入される直線のガイドパイプ５と、餌を取り付ける止め針７と、テンヤが水平に吊り下がる荷重バランス点において錘２に接続される弾性体の吊り紐９と、釣り針に連結される引き紐１１と、釣り針３の回転を阻止する回り止め部を具備させ、吊り紐９と引き紐１１を道糸への連結具１０に接続し、釣り針３を胴３ａがガイドパイプ５から最大に抜け出す方向にスライドさせた状態でテンヤが吊り紐９によって吊下げられ、その状態から吊り紐９が引き伸ばされたときに、釣り針３が引き紐１１によって錘２側に引き動かされるようにした。【選択図】図１
2016093105.tif 000002
【特許請求の範囲】
【請求項１】
錘（２）を先端に配し、その錘に、当該錘の後方に延び出す直線の胴（３ａ）を有する釣り針（３）を取り付けた太刀魚用テンヤであって、
先端部を前記錘（２）に固定してその錘の後方に直線的に延び出させた、内部に前記釣り針の胴（３ａ）がスライド自在に挿入されるガイドパイプ（５）と、そのガイドパイプの外周に固定された餌取り付け用の止め針（７）と、テンヤが水平に吊り下がる荷重バランス点において前記錘（２）に接続される伸縮可能な弾性体の吊り紐（９）と、前記釣り針（３）に直接又は間接的につながれる引き紐（１１）と、前記釣り針（３）の回転を阻止する回り止め部を具備し、
前記吊り紐（９）と前記引き紐（１１）が道糸への連結具（１０）に接続され、前記釣り針（３）を前記胴（３ａ）が前記ガイドパイプ（５）から最大に抜け出す方向にスライドさせた状態でテンヤが前記吊り紐（９）によって吊下げられ、その状態から前記吊り紐（９）が引き伸ばされたときに、前記釣り針（３）が前記引き紐（１１）によって前記錘（２）側に引き動かされるようにした太刀魚用テンヤ。
【請求項２】
前記釣り針（３）とガイドパイプ（５）を前記錘（２）の下側に配置した請求項１に記載の太刀魚用テンヤ。
【請求項３】
前記回り止め部を、前記釣り針の胴（３ａ）と平行配置にして後端を釣り針に固定する補助軸（４）と、前記ガイドパイプ（５）に平行に固定する補助パイプ（６）を含ませ、前記補助軸（４）の前側を前記補助パイプ（６）にスライド自在に挿入して構成した請求項１又は２に記載の太刀魚用テンヤ。
【発明の詳細な説明】
【技術分野】
【０００１】
この発明は、魚の針掛かりを良くする工夫を施した太刀魚用のテンヤに関する。
【背景技術】
【０００２】
太刀魚の船釣りでは、錘と釣り針を一体化した太刀魚用テンヤが使用されている。一般的な太刀魚用テンヤは、図５に示すように、錘２を先端に設け、その錘２の後方に釣り針３の胴（軸）３ａを延び出させ、胴の後端に、腰曲げ部３ｂと、先曲げ部３ｃと、返し３ｄを有する針先部３ｅを設けている。
【０００３】
また、先端の錘２に環８を取り付けており、その環８に、インターロックスナップ（図示せず）などを介してハリス（これも図示せず）を接続する構造になっている。
【０００４】
釣り針３の胴３ａには、餌の鰯などが取り付けられる。胴３ａの上部には止め針７が設けられており、その止め針７を餌の魚に突き刺し、針金１４（細いステンレス線や銅線など）で巻き縛るなどしてその餌を胴３ａに固定する（図２参照）。
【０００５】
そして、餌をつけ終えた太刀魚用テンヤ２１を船上から海中に投入し、目的の水深（タナ）まで沈める。目的の水深に到達した太刀魚用テンヤ２１は水平姿勢に吊り下がる。そのために、餌の魚は泳いでいるように見え、生き餌を好む太刀魚が食いつく確率が高まる。
【０００６】
なお、錘２は、図５のような魚頭形状のものが多用されているが、魚頭形状でない太刀魚用テンヤも勿論存在する（例えば、下記特許文献１参照）。
【先行技術文献】
【特許文献】
【０００７】
【特許文献１】特開２０１２−１６５７３２号公報
【発明の概要】
【発明が解決しようとする課題】
【０００８】
太刀魚用テンヤは、目的の水深位置において水平姿勢を保つ。そのテンヤに取り付けられた餌に対して、太刀魚は多くの場合、上向き姿勢になって下から喰いつく。
【０００９】
釣り人はその喰いつきによる釣竿の穂先の動きや釣竿を持った手に伝わる感触から魚が喰いついた状況（いわゆる当たり）を感知し、釣竿をシャクリ上げて（いわゆる合わせを行って）太刀魚に針を掛ける。
【００１０】
市販の一般的な太刀魚用テンヤは、釣竿のシャクリ上げにより先端側が持ち上げられて餌が太刀魚に喰いつかれている部位を支点にして回転し、返しのついた針先が太刀魚の頭部に外側から突き刺さる。テンヤを用いた太刀魚釣りでは、このように、針先が魚の口中に刺さるのではなく頭部に外側から突き刺さって魚が針掛かりする。
【００１１】
その針掛かりは、上述したように、釣竿をシャクリ上げたときに太刀魚が餌に喰いついている部位を支点にして回転することによって起こるが、太刀魚による餌のくわえ方によってはその回転が確実になされない状況が起こる。
【００１２】
例えば、餌のくわえ方が強くて合わせを行ったときに太刀魚がテンヤの回転方向に同時に首を振るような状況が起こると、太刀魚に対するテンヤの相対回転が不十分になり、針先の太刀魚への突き刺さりが不十分になる。
【００１３】
このために、釣り逃がす事態が発生し、釣果が期待するほどあがらないことがあった。
【００１４】
この発明は、餌に喰いついた太刀魚に対する太刀魚用テンヤの針掛かりが効果的に起こるようにし、これにより釣り逃がしを減らして釣果を高められるようにすることを課題としている。
【課題を解決するための手段】
【００１５】
上記の課題を解決するため、この発明においては、錘を先端に配し、その錘に、当該錘の後方に延び出す直線の胴を有する釣り針を取り付けた太刀魚用テンヤを下記の如く構成した。
【００１６】
即ち、先端部を前記錘に固定した、内部に前記釣り針の胴がスライド自在に挿入される直線のガイドパイプと、そのガイドパイプの上部外周に固定された餌取り付け用の止め針と、テンヤが水平に吊り下がる荷重バランス点において前記錘に接続される伸縮可能な弾性体の吊り紐と、前記釣り針に直接又は間接的につながれる引き紐と、前記釣り針の回転を阻止する回り止め部を具備し、
前記吊り紐と前記引き紐が道糸への連結具に接続され、前記釣り針を前記胴が前記ガイドパイプから最大に抜け出す方向にスライドさせた状態でテンヤが前記吊り紐によって吊下げられ、その状態から前記吊り紐が引き伸ばされたときに、前記釣り針が前記引き紐によって前記錘側に引き動かされるようにした。
【００１７】
なお、この発明では、ワイヤー、テグス、ゴム紐なども紐と考える。
【００１８】
この発明の太刀魚用テンヤは、前記ガイドパイプと釣り針を錘の下側に配置したものが好ましい。
【００１９】
また、前記回り止め部は、前記釣り針の胴と平行配置にして後端を釣り針に固定する補助軸と、前記ガイドパイプに平行に固定する補助パイプを含ませ、前記補助軸の前側を前記補助パイプにスライド自在に挿入して構成されたものが好ましい。
【００２０】
さらに、前記弾性体の吊り紐は、釣り用として提供されている熱可塑性ポリウレタンなどで形成されたゴム紐（クッションゴムと称されている製品）が好ましい。
【００２１】
かかるテンヤの錘は、砲弾型、魚頭形状など任意の形状を採用できる。また、その錘の表面にアピール性を高める蓄光塗料の塗膜を設けることもできる。
【発明の効果】
【００２２】
この発明のテンヤは、餌に対する太刀魚の喰いつき（当たり）を感知して釣竿をシャクリあげると、テンヤに太刀魚の重みが加わることから弾性体の吊り紐が引き伸ばされ、これにより、引き紐が引っ張られてその引き紐により釣り針が錘側に引き動かされる。
【００２３】
そのために、釣り針の引き動かしによる太刀魚への突き刺さりが先行して起こる。また、針先が太刀魚に刺さると、従来の太刀魚用テンヤと同様に、太刀魚が喰いつた位置を支点にしてテンヤが回転し、その回転により突き刺さりがさらに進行して針掛かりが万全なものになる。これにより、釣り逃がしが減って釣果が上がる。
【００２４】
なお、前記ガイドパイプと釣り針を錘の下側に配置したものは、餌の鰯などが錘の後方に配置される。テンヤは、潮流を受けると自然に錘が流れの上流、餌が下流に位置する姿勢になるため、餌が錘の後方にあるものは潮流を受ける面積が減少する。これにより、テンヤが潮流に押し流され難くなる。これに加え、前記錘にガイド孔を設け、前記引き紐をそのガイド孔に通して安定して誘導することもできる。
【００２５】
また、前記回り止め部を、前記補助軸とその補助軸をスライド自在に挿入する補助パイプを設けて構成したものは、補助軸、補助パイプともに安価で入手しやすい材料を使用でき、ガイドパイプを含めた釣り針の胴の小型化を図り易い。
【００２６】
このほか、前記弾性体の吊り紐として釣り用のクッションゴムも用いたものは、吊り紐が太くならず、潮流の影響をより受け難いものになる。
【図面の簡単な説明】
【００２７】
【図１】この発明の太刀魚用テンヤの一例を示す側面図である。
【図２】図１の太刀魚用テンヤに餌を取り付けた状態を示す側面図である。
【図３】この発明の太刀魚用テンヤの他の例を示す側面図である。
【図４】図１のテンヤの釣り針が太刀魚に刺さった状態を示す側面図である。
【図５】太刀魚用テンヤの従来品の一例を示す側面図である。
【発明を実施するための形態】
【００２８】
以下、この発明の太刀魚用テンヤの実施の形態を添付図面の図１〜図４に基づいて説明する。
【００２９】
図１の太刀魚用テンヤ１は、砲弾型の錘２を先端に配し、その錘２に釣り針３を取り付けている。
【００３０】
釣り針３は、直線状をなす胴３ａの後端に腰曲げ部３ｂ、先曲げ部３ｃ、及び返し３ｄのついた針先部３ｅを設けた周知の形状の針である。この釣り針３は、既知のテンヤと違って、錘２に対して固定されていない。
【００３１】
また、この釣り針３には、胴３ａの下部に補助軸４が胴３ａと平行にして取り付けられている。その補助軸４は、後端が釣り針３の腰曲げ部３ｂに固定されており、先端に後述する引き紐１１が連結されている。
【００３２】
錘２の下部には、先端を錘２に固定してその固定部から錘の後方に直線的に延び出させたガイドパイプ５が設けられている。また、そのガイドパイプ５の下部には補助パイプ６が平行配置にして取り付けられており、さらに、このガイドパイプ５の上側外周に餌を取り付けるための止め針７が固定して設けられている。
【００３３】
錘２は、ステンレスなどからなる金属パイプ２ａと鉛２ｂを複合化したものであって、
ガイドパイプ５や補助パイプ６の錘２への接合は、接合強度を考えて金属パイプ２ａに対してなされている。
【００３４】
釣り針３の胴３ａは、ガイドパイプ５にスライド自在に挿入されている。また、その胴３ａの下部に設けた補助軸４は、前側が補助パイプ６にスライド自在に挿入されている。
【００３５】
図示したように、ガイドパイプ５と補助パイプ６を平行配置にして設け、それ等のパイプに、平行配置の釣り針の胴３ａと補助軸４をスライド自在に挿入することで回り止め部が構成され、その回り止め部により釣り針３の回転が阻止されてテンヤの針先が常に餌に喰いついた太刀魚を狙える位置に保持される。
【００３６】
錘２の上部には、環８が取り付けられており、その環８に伸縮可能な弾性体の吊り紐９がインターロックスナップなどを用いて着脱自在に連結されている。環８は、テンヤが水平に吊り下がる位置（荷重バランス点）に設けられている。
【００３７】
例示の太刀魚用テンヤ１に採用した吊り紐９は、熱可塑性ポリウレタンで形成された市販のクッションゴムである。この吊り紐９の上端には、道糸を連結する連結具１０（図のそれはスイベル）が接続されている。
【００３８】
また、補助パイプ６に挿入された補助軸４の先端には、引き紐１１が連結されている。図示の引き紐１１は、ワイヤー１１ａとテグス１１ｂをインターロックスナップなどでつなぎ合わせたものであり、ワイヤーからなる部分が錘２に設けられたガイド孔１２に通され、テグスからなる部分の上端が吊り紐９の上端に連結されている。
【００３９】
吊り紐９は、規定の長さ以上の伸び代を残した状態でテンヤを吊下げ位置に保持できる引っ張り強度を有するものが設けられている。その吊り紐９でテンヤを吊下げた状況下において、引き紐１１は弛みを生じる長さを有している。
【００４０】
その引き紐１１は、吊り紐９によってテンヤを吊下げ、なおかつ、釣り針３の胴３ａをガイドパイプ５から最大に引き出した状態においても若干の弛みを生じるものが設けられている。
【００４１】
図１の１３は、釣り針３のガイドパイプ５からの抜き出し量を規制するシモリである。このシモリ１３は、ワイヤー１１ａの外周に遊嵌されている。このシモリ１３がワイヤー１１ａの先端に形成したアイ１１ｃと錘２との間に介在されてアイ１１ｃのガイド孔１２への入り込みを阻止する構造になっており、これにより、釣り針３のガイドパイプ５からの脱出が阻止される。
【００４２】
図１の１７は、吊り紐９と引き紐１１をゆるく通したスリーブである。このスリーブ１７は、必要に応じて設けるものであって、引き紐１１を吊り紐９に添わせる働きをする。
【００４３】
止め針７は、釣り針３の胴３ａと並行させて錘２の後方に延び出させた横針７ａと、胴３ａの上部から上向きに突出する縦針７ｂからなるものを示した。縦針７ｂは１本に限定されない。
【００４４】
図示の止め針７は、図２に示すように、横針７ａを餌１９の口から腹部に向けて刺し、縦針７ｂを餌の下腹部から背に向けて突き刺す。餌１９は、鰯が多用されているが、鰯以外の魚やゴム製の疑似餌などを用いることも可能である。
【００４５】
餌１９を止め針７に刺したら、始端が横針７ａやガイドパイプ５などに固定された針金１４をガイドパイプ５に沿わせた餌１９に巻きつけ、その餌１９を針金１４で縛ってガイドパイプ５と補助パイプ６に固定する。
【００４６】
なお、餌１９を縛った針金１４は、補助パイプ６の後方下部に図１に示すような係留部１５を設け、その係留部１５に終端を巻きつけて固定すると好ましい。
【００４７】
餌１９は、複数本の縦針を設け、その複数本の縦針を突き刺して針金でくくりつける方法でも固定することができる。従って、横針７ａは好ましい要素に過ぎない。
【００４８】
ガイドパイプ５の後端付近で針金１４の巻きつけの方向をターンさせ、巻き始点側に戻されたその針金１４の終端を始端が固定された付近において補助パイプ６や錘２に固定することもできるが、補助パイプ６の後方下部に係留部１５があれば、針金１４の終端を始端側に戻す手間を省くことができる。
【００４９】
以上の如く構成された太刀魚用テンヤ１は、連結具１０に釣竿のリールから繰り出された道糸１８を連結して使用する。そのテンヤの釣り針３をガイドパイプ５から許容上限まで抜き出し、止め針７を利用して図２に示すように釣り針３の胴３ａの上部に餌１９を取り付ける。そしてこれを海中に投入する。
【００５０】
その太刀魚用テンヤ１は、吊り紐９に吊下げられて目標点まで沈められ、ほぼ水平姿勢を保って目的の水深（タナ）位置に保持される。
【００５１】
その太刀魚用テンヤ１に取り付けた餌１９に図４のように太刀魚Ｃｆが喰いつき、釣り人が当たりを感じると合わせ（釣竿のシャクリあげ）がなされる。その合わせが行われると、吊り紐９が引き伸ばされて引き紐１１がガイド孔１２に誘導されながら引っ張られる。
【００５２】
そのために、補助軸４及びそれと一体の釣り針の胴３ａが引き動かされて補助パイプ６とガイドパイプ５内でパイプの先端側（図４の鎖線位置）に向けてスライドする。このとき、釣り針３の動きは餌１９に喰いついた太刀魚Ｃｆには伝わらない。このために、太刀魚Ｃｆに対してスライドした釣り針３の針先が突き刺さる。
【００５３】
その後の引き続いた釣竿のシャクリ上げにより太刀魚Ｃｆが喰いつた位置を支点にしてテンヤ１が回転し、その回転により針先の突き刺さりがさらに進行して針掛かりが万全なものになる。
【００５４】
なお、例示の太刀魚用テンヤ１は、引き紐１１が釣り針３に補助軸４を介して間接的につながれているが、ガイドパイプ５の先端を開放させてその引き紐１１を釣り針３の胴３ａの先端に直接つなぐことも可能である。
【００５５】
また、釣り針３が錘２の下側に配置されていると、既述の理由により、潮流を受ける面積が減少してテンヤが潮流に押し流され難くなるが、図３に示すように、釣り針３の胴３ａ、ガイドパイプ５及び補助パイプ６は、錘２の上部に設けることも可能である。
【００５６】
この態様は、引き紐１１の誘導を補助パイプ６のみに依存する必要があるので、補助パイプ６は先端を緩やかに上向きに屈曲させておくのがよい。
【００５７】
図３の太刀魚用テンヤは、環８が止め針７の横針７ａに固定され錘２に対する吊り紐９の接続が横針７ａ経由で間接的になされているが、横針７ａの錘２に対する固定位置を錘２の後方にずらして環８を補助パイプ６に固定することも可能である。
【００５８】
また、釣り針３の回転を阻止する回り止め部は、釣り針の胴と平行な補助軸４とその補助軸をスライド自在に挿入する補助パイプ６を設けて構成したものが有利であるが、ガイドパイプ５を角パイプ、釣り針の胴３ａを角軸にして両者を非円形嵌合させる構造のものも考えられる。
【００５９】
また、吊り紐９は釣り用のクッションゴムも用いたものが細くて潮流の影響を受け難くてこのましいが、ステンレスなどの耐食性材料からなるコイルスプリングなどでも引き紐に弛みを生じさせてテンヤを吊り下げることが可能である。
【００６０】
このほか、錘２は、ガイドパイプの接合に支障が無ければ魚頭形状に成形したものであってもよい。また、その錘の表面には、蓄光塗料の塗膜を設けることができる。
【符号の説明】
【００６１】
１，２１    太刀魚用テンヤ
２          錘
２ａ        金属パイプ
２ｂ        鉛
３          釣り針
３ａ        胴
３ｂ        腰曲げ部
３ｃ        先曲げ部
３ｄ        返し
３ｅ        針先部
４          補助軸
５          ガイドパイプ
６          補助パイプ
７          止め針
７ａ        横針
７ｂ        縦針
８          環
９          吊り紐
１０        連結具
１１        引き紐
１１ａ      ワイヤー
１１ｂ      テグス
１１ｃ      アイ
１２        ガイド孔
１３        シモリ
１４        針金
１５        係留部
１７        スリーブ
１８        道糸
１９        餌
Ｃｆ        太刀魚
【図１】
2016093105.tif 000003
【図２】
2016093105.tif 000004
【図３】
2016093105.tif 000005
【図４】
2016093105.tif 000006
【図５】
2016093105.tif 000007